(57)【要約】    【課題】  包装されたまま積重状態に起立したひしもちの据わりを良くする。    【解決手段】  ひしもちは、透明合成樹脂シートを重ねて溶着した袋に挿入し底に積み重ね、長い方の対角線方向を袋の左右の側辺部を結ぶ方向に沿わせ、袋は、ひしもちの短い方の対角線方向に膨らませ、入口を閉鎖する包装袋において、包装袋の下側辺部１は、下側縁を含めて溶着し、また、谷形状に溶着し、谷形状溶着部５、６、７で袋内の底辺を谷形状に形成した。包装袋の底部に、谷形状溶着部の最深部７を頂点とする透明合成樹脂シートの山形状重合部がひしもちの短い方の対角線に沿って形成され左方又は右方に折曲してひしもちの下面に沿って配置され、また、谷形状溶着部の左側部、右側部を含む透明合成樹脂シートの重合部がひしもちの長い方の対角線に沿って形成され前方又は後方に折曲してひしもちの下面に沿って配置される構成にした。【選択図】  図１
0003140441.tif 000002
【実用新案登録請求の範囲】
【請求項１】
透明合成樹脂シートを前後に重ねて溶着した袋に複数枚のひしもちを挿入し、袋の底部にひしもちを積み重ね、袋内のひしもちをその長い方の対角線方向を袋の左側辺部と右側辺部を結ぶ方向に沿わせて配置し、袋をひしもちの短い方の対角線方向に沿って膨らませ、袋の入口を閉鎖して複数枚のひしもちを密封する包装袋において、
包装袋の下側辺部は、下側縁を含めて溶着し、また、谷形状に溶着し、谷形状溶着部で袋内の底辺を谷形状に形成しており、
包装袋の底部に、谷形状溶着部の最深部を頂点とする透明合成樹脂シートの山形状重合部が、ひしもちの短い方の対角線に沿って形成され、左方又は右方に折曲してひしもちの下面に沿って配置され、また、谷形状溶着部の左側部、右側部を含む透明合成樹脂シートの重合部が、それぞれ、ひしもちの長い方の対角線に沿って形成され、前方又は後方に折曲してひしもちの下面に沿って配置される構成にしていることを特徴とするひしもちの包装袋。
【請求項２】
包装袋の下側辺部は、下側縁に沿って帯状に下側縁を含めて溶着し、この帯状溶着部の中央部から左上りに傾斜した帯状と右上りに傾斜した帯状に溶着し、この左上り帯状溶着部と右上り帯状溶着部で谷形状溶着部を形成していることを特徴とする請求項１に記載のひしもちの包装袋。
【請求項３】
包装袋は、２枚の透明合成樹脂シートを重ねていることを特徴とする請求項１又は２に記載のひしもちの包装袋。
【請求項４】
包装袋は、１枚の透明合成樹脂シートを二つ折りにして重ね、透明合成樹脂シートの折曲側辺部を下側辺部にしていることを特徴とする請求項１又は２に記載のひしもちの包装袋。
【考案の詳細な説明】
【技術分野】
【０００１】
本考案は、ひしもちを包装する包装袋に関する。
【背景技術】
【０００２】
ひな祭りに飾るひしもちは、ひし形板状に形成され、色違いの３枚がたかつきの上に積み重ねられる。
３枚のひしもちは、包装袋に密封包装して販売している。包装袋は、透明にしている。包装袋内の３枚の重ねたひしもちを外から見ることができる。また、気体遮断性の高い厚手の合成樹脂シートの袋にしている。包装袋内のひしもちにかびが発生し難い。購入者は、ひしもちを包装されたままの重ね状態でたかつきの上に載せる。すると、３枚の重ねたひしもちは、積み重ね状態に起立せず、転倒する。ひしもちは、たかつきの上で転倒していると、飾りとして見た目が悪い。
【０００３】
本考案者は、包装されたままのひしもちが転倒する原因は、ひしもちの下側に位置する包装袋の底部に透明合成樹脂シートの大きなしわが発生することに起因している点に着眼して、複数枚のひしもちが包装されたまま積み重ね状態に起立する包装袋を考案した。
【０００４】
この包装袋は、透明合成樹脂シートを前後に重ね、前後の透明合成樹脂シートの下側辺部の中央部と左側辺部、右側辺部の間を、それぞれ、左上り、右上りに傾斜した帯状に溶着している。左上り帯状溶着部と右上り帯状溶着部は、谷形状溶着部を形成している。包装袋は、谷形状の溶着部で袋内の底辺を谷形状に形成している。
【０００５】
ひしもちを包装するときには、ひしもちを包装袋の底部の上に積み重ね、包装袋内のひしもちをその長い方の対角線方向を包装袋の左右の側辺部を結ぶ左右方向に沿わせて配置する。包装袋は、ひしもちの短い方の対角線方向に沿って前後に膨らませる。包装袋の入口は閉鎖する。
【０００６】
すると、包装袋は、底部に、谷形状溶着部の最深部を頂点とする透明合成樹脂シートの山形状の重合部が、ひしもちの短い方の対角線に沿って形成され、左方又は右方に折曲してひしもちの下面に沿って配置される。また、同時に、底部に、左上り帯状溶着部を含む透明合成樹脂シートの略三角形状の重合部と、右上り帯状溶着部を含む透明合成樹脂シートの略三角形状の重合部が、それぞれ、ひしもちの長い方の対角線に沿って形成され、前方又は後方に折曲してひしもちの下面に沿って配置される。包装袋の底部には、転倒の原因となる透明合成樹脂シートの大きなしわが発生しない。ひしもちは、包装されたまま積み重ね状態に起立する。
【０００７】
【特許文献１】実公平６−８０２７号公報
【考案の開示】
【考案が解決しようとする課題】
【０００８】
［背景技術の課題］
上記のひしもちの包装袋は、ひしもちの下側に位置する底部に、転倒の原因となる透明合成樹脂シートの大きなしわが発生しない。ところが、その底部は、透明合成樹脂シートが部分的に重なって、凸凹になる。包装されたまま積み重ね状態に起立したひしもちは、据わりが良好である、とは言い難い。
【０００９】
［課題を解決するための着想］
上記のひしもちの包装袋は、製作時に、１枚の透明合成樹脂シートを二つ折りにして前後に重ね、透明合成樹脂シートの折曲側辺部を下側辺部にしたときには、前後の透明合成樹脂シートの非溶着の折曲側辺部がひしもちの下側に位置することになる。前後の透明合成樹脂シートの非溶着の折曲側辺部、特に折曲縁は、前後の透明合成樹脂シートの溶着部より厚くなる。また、製作時に、２枚の同形に切断した透明合成樹脂シートを前後に重ねたときには、前後の透明合成樹脂シートの非溶着の下側辺部がひしもちの下側に位置することになる。前後の透明合成樹脂シートの非溶着の下側辺部、特に切断縁は、前後の透明合成樹脂シートの溶着部より厚くなる。
【００１０】
そこで、ひしもちの包装袋は、透明合成樹脂シートの非溶着の下側辺部を、折曲縁や切断縁の下側縁を含めて溶着することにした。溶着部は薄くなる。ひしもちの下側に位置する底部は、透明合成樹脂シートの部分的な重りによる凸凹が緩和される。
【課題を解決するための手段】
【００１１】
１）透明合成樹脂シートを前後に重ねて溶着した袋に複数枚のひしもちを挿入し、袋の底部にひしもちを積み重ね、袋内のひしもちをその長い方の対角線方向を袋の左側辺部と右側辺部を結ぶ方向に沿わせて配置し、袋をひしもちの短い方の対角線方向に沿って膨らませ、袋の入口を閉鎖して複数枚のひしもちを密封する包装袋において、
包装袋の下側辺部は、下側縁を含めて溶着し、また、谷形状に溶着し、谷形状溶着部で袋内の底辺を谷形状に形成しており、
包装袋の底部に、谷形状溶着部の最深部を頂点とする透明合成樹脂シートの山形状重合部が、ひしもちの短い方の対角線に沿って形成され、左方又は右方に折曲してひしもちの下面に沿って配置され、また、谷形状溶着部の左側部、右側部を含む透明合成樹脂シートの重合部が、それぞれ、ひしもちの長い方の対角線に沿って形成され、前方又は後方に折曲してひしもちの下面に沿って配置される構成にしていることを特徴とするひしもちの包装袋。
２）上記のひしもちの包装袋において、
包装袋の下側辺部は、下側縁に沿って帯状に下側縁を含めて溶着し、この帯状溶着部の中央部から左上りに傾斜した帯状と右上りに傾斜した帯状に溶着し、この左上り帯状溶着部と右上り帯状溶着部で谷形状溶着部を形成していることを特徴とする。
３）上記のひしもちの包装袋において、
包装袋は、２枚の透明合成樹脂シートを重ねていることを特徴とする。
４）上記１）又は２）のひしもちの包装袋において、
包装袋は、１枚の透明合成樹脂シートを二つ折りにして重ね、透明合成樹脂シートの折曲側辺部を下側辺部にしていることを特徴とする。
【考案の効果】
【００１２】
ひしもちの包装袋において、前後の透明合成樹脂シートの下側辺部は、下側縁を含めて溶着している。非溶着の重ね状態より薄くなる。ひしもちの下側に位置する底部は、透明合成樹脂シートの部分的な重りによる凸凹が緩和される。包装されたまま積み重ね状態に起立したひしもちは、据わりが良好になる。
【考案を実施するための最良の形態】
【００１３】
［第１例（図１〜図６参照）］
本例のひしもちの包装袋は、図１〜図４に示すように、２枚の長方形状の透明合成樹脂シートＳを前後に重ねている。前後の２枚の透明合成樹脂シートＳは、同形同寸に切断している。透明合成樹脂シートＳは、ポリアミド樹脂シートとポリプロピレン樹脂シートを積層した厚手の複合シートにしている。このシートＳは、気体遮断性と溶着性が高い。
【００１４】
２枚の長方形状の透明合成樹脂シートＳは、上下左右の側辺部の縁が切断縁である。前後に重ねた透明合成樹脂シートＳは、下側辺部１に隣接する左側辺部２と右側辺部３を、それぞれ、縦帯状に溶着し、縦帯状溶着部で閉鎖している。上側辺部４は、開放し、包装袋の入口にしている。
【００１５】
下側辺部１は、下側縁に沿って横帯状に切断縁の下側縁を含めて溶着し、横帯状溶着部で閉鎖している。この横帯状溶着部１は、非溶着の重ね状態より薄くなる。
【００１６】
また、横帯状溶着部１の中央部から左側辺部２の縦帯状溶着部に左上りに傾斜した帯状に溶着している。更に、横帯状溶着部１の中央部から右側辺部３の縦帯状溶着部に右上りに傾斜した帯状に溶着している。この左上り帯状溶着部５と右上り帯状溶着部６は、横帯状溶着部１の中央部を最深部７とする谷形状溶着部を形成している。包装袋は、袋内の底辺を谷形状溶着部５、６、７で谷形状に形成している。
【００１７】
本例の包装袋を用いて３枚のひし形板状のひしもちを重ねて包装する場合、図５に示すように、３枚のひしもちＣを包装袋に入口４から挿入して包装袋の底部に積み重ねる。包装袋内の３枚のひしもちＣは、長い方の対角線方向を包装袋の左側辺部２と右側辺部３を結ぶ左右方向に沿わせて配置する。包装袋は、ひしもちＣの短い方の対角線方向に沿って前後に膨らませる。包装袋の入口４は、横帯状に溶着し、横帯状溶着部で閉鎖する。
【００１８】
すると、ひしもちＣの下側に位置する包装袋の底部には、図６に示すように、谷形状溶着部の最深部７を頂点とする透明合成樹脂シートＳの山形状の重合部１１がひしもちＣの短い方の対角線に沿って形成される。山形状重合部１１は、左方又は右方の一方に折曲してひしもちＣの下面に沿って配置される。
【００１９】
また、同時に、谷形状溶着部の左側部５と横帯状溶着部１の左側部を含む透明合成樹脂シートＳの略三角形状の重合部１２と、谷形状溶着部の右側部６と横帯状溶着部１の右側部を含む透明合成樹脂シートＳの略三角形状の重合部１３が、それぞれ、ひしもちＣの長い方の対角線に沿って左側と右側に形成される。左側と右側の略三角形状重合部１２、１３は、それぞれ、前方又は後方の同一方向に折曲してひしもちＣの下面に沿って配置される。
【００２０】
本例の包装袋で包装した３枚の積み重ねたひしもちＣは、包装されたままの密封状態で、図示しないたかつきの上に載せる。すると、３枚の積み重ねたひしもちＣは、たかつきの上で積み重ね状態に起立している。包装されたまま積み重ね状態に起立したひしもちは、据わりが良く、倒れ難い。
【００２１】
［第２例（図７と図８参照）］
本例のひしもちの包装袋は、１枚の細長い長方形状の透明合成樹脂シートＳを、短辺と平行する中心線を折曲線として二つ折りにして前後に重ねている。透明合成樹脂シートＳの折曲側辺部は、縁が折曲縁１６である。この折曲側辺部は、下側辺部１にしている。下側辺部１は、図７と図８に示すように、折曲縁１６の下側縁に沿って横帯状に折曲縁１６の下側縁を含めて溶着している。この横帯状溶着部１は、非溶着の折り曲げ重ね状態より薄くなる。
その他の点は、第１例におけるのと同様である。
【００２２】
［変形例］
１）上記の実施形態の第１例と第２例において、透明合成樹脂シートＳの左上り帯状溶着部５、横帯状溶着部１の左側部と左側の縦帯状溶着部２の間は、非溶着のままであるが、溶着する。
２）上記の実施形態の第１例と第２例において、透明合成樹脂シートＳの右上り帯状溶着部６、横帯状溶着部１の右側部と右側の縦帯状溶着部３の間は、非溶着のままであるが、溶着する。
３）上記の実施形態の第２例において、透明合成樹脂シートＳの折曲側辺部は、下側辺部１にしているが、左側辺部又は右側辺部にする。
【図面の簡単な説明】
【００２３】
【図１】本考案の実施形態の第１例におけるひしもちの包装袋の正面図。
【図２】図１のＡ−Ａ線端面図で、溶着部と非溶着部を示すため前後方向、厚さ方向を誇張した図。
【図３】図１のＢ−Ｂ線端面図で、図２と同様な前後方向誇張図。
【図４】図１のＣ−Ｃ線端面図で、図２と同様な前後方向誇張図。
【図５】同包装袋によってひしもちを包装した状態の斜視図。
【図６】同包装状態の底面図。
【図７】実施形態の第２例におけるひしもちの包装袋を示す図で、図２と同様な誇張端面図。
【図８】同包装袋を示す図で、図３と同様な誇張端面図。
【符号の説明】
【００２４】
Ｓ  透明合成樹脂シート
１  下側辺部、横帯状溶着部
２  左側辺部、縦帯状溶着部
３  右側辺部、縦帯状溶着部
４  上側辺部、包装袋の入口、横帯状溶着部
５  左上り帯状溶着部、谷形状溶着部の左側部
６  右上り帯状溶着部、谷形状溶着部の右側部
５、６、７  谷形状溶着部
７  谷形状溶着部の最深部
Ｃ  ひしもち
１１  透明合成樹脂シートの山形状重合部
１２  透明合成樹脂シートの左側の略三角形状重合部
１３  透明合成樹脂シートの右側の略三角形状重合部
１６  透明合成樹脂シートの折曲縁、下側縁
【図１】
0003140441.tif 000003
【図２】
0003140441.tif 000004
【図３】
0003140441.tif 000005
【図４】
0003140441.tif 000006
【図５】
0003140441.tif 000007
【図６】
0003140441.tif 000008
【図７】
0003140441.tif 000009
【図８】
0003140441.tif 000010